(57)【特許請求の範囲】
【請求項１】
第１の面を有する第１の光学部材と、
第２の面を有し、該第２の面が前記第１の面から離れる第１の位置と該第１の位置よりも前記第２の面が前記第１の面に近づく第２の位置との間で移動可能な第２の光学部材とを有し、
物体からの光の波長をλとするとき、
前記第１の位置は、前記第１の面と前記第２の面との間の距離がλ／２を超える位置であって前記第１の面で前記物体からの光が全反射する位置であり、
前記第２の位置は、前記第１の面と前記第２の面との間の距離がλ／２以下となる位置であって前記第１の面で前記物体からの光の一部が反射し、他の一部が前記第１の面を透過して前記第２の面に入射する位置であり、
前記第２の光学部材が前記第１の位置にある状態で、前記第１の面で全反射した前記光を撮像素子に導いて該撮像素子からの出力を用いた焦点検出と画像の生成とを行い、
前記第２の光学部材が前記第２の位置にある状態で、前記第１の面で反射した前記一部の光を前記撮像素子に導いて該撮像素子からの出力を用いた焦点検出を行うとともに、前記第１の面及び前記第２の面を透過した前記他の一部の光をファインダ光学系の接眼光学系に導くことを特徴とする撮像装置。
【請求項２】
前記第２の光学部材を前記第１及び第２の位置間で移動させる駆動機構と、
該駆動機構を制御する制御手段とを有することを特徴とする請求項１に記載の撮像装置。
【請求項３】
前記第１の光学部材よりも物体側に撮像光学系を構成する第１の光学系部分が配置され、 前記第１の光学部材よりも撮像素子側に前記撮像光学系を構成する第２の光学系部分が配置されており、
前記第１の光学系部分、前記第１の光学部材、前記第２の位置にある前記第２の光学部材及び前記接眼光学系より、ファインダ光学系が構成されることを特徴とする請求項１又は２に記載の撮像装置。
【発明の詳細な説明】
【技術分野】
【０００１】
本発明は、デジタルカメラ等の撮像装置に関し、特に物体からの光を撮像素子及びファインダ光学系の接眼部に導くための構成に関する。
【背景技術】
【０００２】
撮像装置には、小型軽量化や薄型化（撮像光学系の光軸方向厚みの減少）が要求されている。このうち薄型化を妨げる要因としては、光学系（特に、撮像光学系）の光軸方向の寸法が大きくなり易いことが挙げられる。光学系の光軸方向寸法を減少させる方法の１つとして、光学系内に反射面を配置して光学系を屈曲させる方法がある。このような屈曲光学系の構成を有する撮像装置は、特許文献１〜４にて開示されている。
【０００３】
図５には、光学系内にプリズムを配置して光学系を屈曲させた屈曲撮像光学系の例を示す。３０２，３０３は撮像光学系の物体側部分を構成する第１及び第２レンズである。３０１は直角プリズムである。３０６は撮像光学系のうち像面側光学系部分を構成するリアレンズユニットである。３０４，３０５は赤外カットフィルタ及びローパスフィルタ等の光学フィルタである。３０７はＣＣＤセンサ等の撮像素子である。
【０００４】
屈曲撮像光学系に入射した物体からの光は、第１及び第２レンズ３０２，３０３を透過して直角プリズム３０１に入射する。直角プリズム３０１に入射した光は、該直角プリズム３０１の面３０１ａにて内面反射してリアレンズユニット３０６、光学フィルタ３０４，３０５を透過して撮像素子３０７に至る。
【０００５】
撮像素子３０７は、屈曲撮像光学系により形成された物体像を光電変換する。撮像素子３０７からの出力信号に基づいて生成された画像は、不図示の記録媒体に記録されたり、不図示のディスプレイに表示されたりする。画像を表示するディスプレイは、物体の電子画像を観察するための電子ビューファインダ（Electric ViewFinder：以下、ＥＶＦ）として用いられる。
【特許文献１】特開２０００−１８７１６０号公報
【特許文献２】特開２００３−２２８００３号公報
【特許文献３】特開２００６−０５３２７５号公報
【特許文献４】特開２００６−００５５８７号公報
【発明の開示】
【発明が解決しようとする課題】
【０００６】
しかしながら、撮像装置では、その使い勝手等の面から、ＥＶＦだけでなく、光学ファインダ（Optical ViewFinder：以下、ＯＶＦ）も搭載されている方が好ましい場合がある。しかも、撮像光学系と光学ファインダとのパララクスが生じにくい、撮像光学系を通った光によって形成される物体の光学像を観察できるＴＴＬ(Through The Lens)方式のＯＶＦがより好ましい。
【０００７】
このため、上述したような屈曲撮像光学系を用いる場合でも、ＴＴＬ方式のＯＶＦを搭載し、かつ撮像装置の大型化や重量の増加を抑える方法を検討する必要がある。
【０００８】
本発明は、薄型で軽量な構成を有しつつ、ＴＴＬ方式のＯＶＦを搭載した撮像装置を提供する。
【課題を解決するための手段】
【０００９】
本発明の一側面としての撮像装置は、第１の面を有する第１の光学部材と、第２の面を有し、該第２の面が第１の面から離れる第１の位置と該第１の位置よりも第２の面が第１の面に近づく第２の位置との間で移動可能な第２の光学部材とを有する。そして、物体からの光の波長をλとするとき、第１の位置は、第１の面と第２の面との間の距離がλ／２を超える位置であって第１の面で物体からの光が全反射する位置であり、第２の位置は、第１の面と第２の面との間の距離がλ／２以下となる位置であって第１の面で物体からの光の一部が反射し、他の一部が第１の面を透過して第２の面に入射する位置であり、第２の光学部材が第１の位置にある状態で、第１の面で全反射した光を撮像素子に導いて該撮像素子からの出力を用いた焦点検出と画像の生成とを行い、第２の光学部材が第２の位置にある状態で、第１の面で反射した上記一部の光を撮像素子に導いて該撮像素子からの出力を用いた焦点検出を行うとともに、第１の面及び第２の面を透過した上記他の一部の光をファインダ光学系の接眼光学系に導くことを特徴とする。
【発明の効果】
【００１０】
本発明によれば、撮像光学系を屈曲させる第１の光学部材に対して、第２の光学部材を第１及び第２の位置間で移動させることにより、第１の面で全反射した光を撮像素子に導いて焦点検出と画像の生成とを行うか、第１の面で反射した一部の光を撮像素子に導いて焦点検出を行うとともに、第１及び第２の面を透過した他の一部の光をファインダ光学系の接眼光学系に導くかを切り換えることができる。これにより、薄型で軽量な構成を有しつつ、ＴＴＬ方式のＯＶＦを搭載し、かつ明るい画像を生成可能な撮像装置を実現することができる。
【発明を実施するための最良の形態】
【００１１】
以下、本発明の好ましい実施例について図面を参照しながら説明する。
【００１２】
図２には、本発明の実施例である撮像装置としてのデジタルスチルカメラの構成を示している。なお、以下の説明において、デジタルスチルカメラを撮像装置と称する。
【００１３】
１０１は複数のレンズ及び絞りを含む撮像光学系である。１０２はメカニカルシャッタである。１０３は撮像素子であり、ＣＣＤセンサやＣＭＯＳセンサにより構成される。不図示の物体（被写体）からの光は、撮像光学系１０１により物体像を形成し、撮像素子１０３に到達する。撮像素子１０３は、物体像を光電変換し、その光量に応じた電荷を蓄積する。メカニカルシャッタ１０２は、撮像素子１０３の露光量や露光タイミングを制御するために動作する。
【００１４】
１０４は撮像素子１０３からの出力信号に対して所定のアナログ信号処理を行うＣＤＳ回路である。１０５はＣＤＳ回路１０４から出力されたアナログ信号をデジタル信号に変換するＡ／Ｄ変換器である。
【００１５】
１０６は、撮像素子１０３、ＣＤＳ回路１０４及びＡ／Ｄ変換器１０５の動作タイミング信号を出力するタイミング信号発生回路である。１０７は撮像光学系１０１、メカニカルシャッタ１０２及び撮像素子１０３を駆動する駆動回路である。１０８はＡ／Ｄ変換器１０５からの出力信号に対して各種画像処理を行って画像（画像データ）を生成する信号処理回路である。１０９は生成された画像データを記憶する画像メモリである。
【００１６】
１１０は撮像装置に対して着脱が可能な記録媒体であり、半導体メモリ、光ディスク等を含む。１１１は記録用画像のデータを記録媒体１１０に記録する記録回路である。１１２は画像データを表示するディスプレイであり、ＬＣＤや自発光素子等により構成される。１１３はディスプレイ１１２に画像を表示させる表示回路である。
【００１７】
信号処理回路１０８は、動画像を構成するフレーム画像を順次生成し、表示回路１１３は該フレーム画像を順次ディスプレイ１１２に表示させる。これにより、ディスプレイ１１２には、物体の電子動画像が表示される。このように電子動画像を表示するディスプレイ１１２は、ＥＶＦとして用いられる。また、信号処理回路１０８は、本撮像時には、記録用画像（静止画像）を生成する。記録用画像は、記録媒体１１０に記録されるとともに、所定時間の間ディスプレイ１１２に表示される。
【００１８】
１１４は撮像装置全体を制御する制御手段としてのシステム制御部である。
【００１９】
次に、撮像光学系１０１の構成について、図１Ａ及び図１Ｂを用いて説明する。なお、これらの図では、図２に示したメカニカルシャッタ１０２は省略している。
【００２０】
２０２，２０３は撮像光学系１０１のうち物体側光学系部分（第１の光学系部分）２を構成する第１及び第２レンズである。２０１は第１の光学部材としての第１の直角プリズムであり、入射面２０１ｂ、射出面２０１ｃ及び反射透過面（第１の面）２０１ａを有する三角柱形状に形成されている。
【００２１】
１は第２の光学部材としての第２の直角プリズムであり、入射面１ａ（第２の面）及び射出面１ｂを有する三角柱形状を有する。第１及び第２の直角プリズム２０１，１は、ガラスや樹脂等の光学材料により形成され、その屈折率は空気よりも高い。第２の直角プリズム１は、後述する駆動機構１０によって、その入射面１ａが第１の直角プリズム２０１の反射透過面２０１ａに対して接近する方向と離れる方向とに移動可能である。
【００２２】
２０６は撮像光学系１０１のうち像面側光学系部分（第２の光学系部分）を構成するリアレンズユニットである。２０４，２０５は赤外カットフィルタ及びローパスフィルタ等の光学フィルタである。１０３は前述した撮像素子である。
【００２３】
撮像光学系１０１に入射した物体からの光は、第１及び第２レンズ２０２，２０３を透過して第１の直角プリズム２０１に入射する。図１Ａでは、第１の直角プリズム２０１の反射透過面２０１ａに対して、第２の直角プリズム１の入射面１ａが（すなわち、第１及び第２の面間が）所定距離Ｌだけ離れている。この状態で、第１の直角プリズム２０１に入射した光は、その反射透過面２０１ａで全反射（total internal reflection）して直角に進行方向を曲げられ、射出面２０１ｃから第１の直角プリズム２０１を射出する。そして、該光は、リアレンズユニット２０６及び光学フィルタ２０４，２０５を透過して撮像素子１０３に至る。
【００２４】
撮像光学系１０１により形成された物体像は、前述したように、撮像素子１０３により光電変換され、記録媒体１１０に記録されたり、ＥＶＦ（電子ビューファインダ）用画像としてディスプレイ１１２に表示されたりする。反射透過面２０１ａでの反射は、全反射である。これにより、撮像光学系１０１に入射した光を効率良く撮像素子１０３に到達させることができ、明るい画像を生成することができる。
【００２５】
また、撮像光学系１０１は、第１の直角プリズム２０１によってその光軸ＡＸＬが屈曲される屈曲光学系である。したがって、該撮像光学系１０１を搭載する撮像装置の薄型化を実現できる。
【００２６】
一方、図１Ｂでは、第１の直角プリズム２０１における反射透過面２０１ａに対して、第２の直角プリズム１の入射面１ａが、所定距離Ｌの位置よりも近づいている。ここにいう「近づく」とは、接していない場合と接している（密着している）場合のいずれをも含む。
【００２７】
図１Ｂに示す状態では、第１の直角プリズム２０１に入射した光の一部は、その反射透過面２０１ａで反射して第１の直角プリズム２０１を射出し、撮像素子１０３に向かう。また、第１の直角プリズム２０１に入射した光のうち他の一部は、その反射透過面２０１ａを透過して第１の直角プリズム２０１を射出し、第２の直角プリズム１にその入射面１ａから入射する。そして、該第２の直角プリズム１から射出した光は、接眼光学系３を通って不図示の使用者の眼に至る。このように、撮像光学系１０１の物体側光学系部分２、第１，第２の直角プリズム２０１，１及び接眼光学系３により、撮像光学系１０１（の一部）を通った光により形成される物体の光学像の観察を可能とするＴＴＬ方式のＯＶＦ（ファインダ光学系）が構成される。
【００２８】
１０は第２の直角プリズム１を、図１Ａに示す第１の位置と図１Ｂに示す第２の位置との間で移動させる駆動機構である。該駆動機構１０は、システム制御部１１４によって制御される。具体的には、システム制御部１１４は、撮像素子１０３を用いたＥＶＦの使用（ＥＶＦモード）時及び記録用画像の取得（本撮像）時には、第２の直角プリズム１を第１の位置に移動（又はセット）させるように駆動機構１０を制御する。また、ＯＶＦを使用した光学像観察（ＯＶＦモード）時には、第２の直角プリズム１を第２の位置に移動（又はセット）させるように駆動機構１０を制御する。
【００２９】
なお、ＯＶＦモードにおいても、物体からの光の一部は撮像素子１０３に向かうので、ＥＶＦの使用や本撮像を行うことも可能である。
【００３０】
第２の直角プリズム１は、第１の直角プリズム２０１と接眼光学系３との間の本来デッドスペースとなる領域に配置され、駆動機構１０による第２の直角プリズム１の第１及び第２の位置間での移動量も、後述するように小さい。このため、撮像光学系１０１として屈曲光学系を採用した撮像装置の薄型の特徴を損なうことなく（大型化を抑えつつ）、ＴＴＬ方式のＯＶＦを構成することができる。
【００３１】
次に、第２の直角プリズム１の第１及び第２の位置間での移動によって第１の直角プリズム２０１（反射透過面２０１ａ）で物体からの光が全反射する状態と、反射及び透過する状態とが切り換わる原理について説明する。
【００３２】
第２の直角プリズム１が第１の位置に配置され、その入射面１ａが第１の直角プリズム２０１の反射透過面２０１ａから後述する所定距離Ｌだけ離れた状態では、該反射透過面２０１ａに入射した物体からの光は、ここで全反射を起こす。この全反射光を撮像素子１０３に導くことでＥＶＦ状態が実現される。
【００３３】
ただし、このとき、反射透過面２０１ａでは、光の僅かな滲み出しが起きている。すなわち、反射透過面２０１ａにおける第１の直角プリズム２０１の媒質（ガラス又は樹脂）側から裏面（空気）側に僅かにエバネッセント波（evanescent wave）が滲み出している。
【００３４】
このため、第２の直角プリズム１を第２の位置に移動させ、反射透過面２０１ａに、その裏側から別の媒質（ガラス又は樹脂）である第２の直角プリズム１の屈折境界面（入射面１ａ）を近接させる。入射面１ａが反射透過面２０１ａに対してエバネッセント波の滲み出ている範囲よりも近づいた場合、反射透過面２０１ａに入射した光の一部は反射透過面２０１ａで全反射せずにここを透過し、第２の直角プリズム１内に進む。これは、全反射減衰（ＦＴＩＲ：Frustrated Total Internal Refraction）と呼ばれる現象である。本実施例では、このＦＴＩＲを利用して、ＯＶＦを実現する。
【００３５】
媒質（ガラス）Ｉから媒質（空気）ＩＩへの境界面に於いて、エバネッセント波が滲み出す範囲（距離）を計算する。媒質Ｉと媒質ＩＩのそれぞれの屈折率をＮｐ，Ｎairとすると、媒質ＩＩへのエバネッセント波が滲み出す距離ξは、
【００３６】
【数１】
0004931235.tif 000002
【００３７】
と表すことができる。θは境界面への光の入射角であり、λは該光の波長である。この関係を、図４に示す。
【００３８】
ここで、媒質Ｉの屈折率をＮｐ=１．５、媒質ＩＩの屈折率をＮair=１．０、入射角θを４５°±２°、波長λを可視光の波長領域である３８０〜７８０nmとすると、ξは約１５０nm〜５８０nmの範囲になる。したがって、可視光の波長領域においては、第２の位置では、入射面１ａを反射透過面２０１ａに対してλ／２以下（より好ましくはλ／４以下）の距離となる位置まで近づけるとよい。言い換えれば、第１の位置では、入射面１ａを反射透過面２０１ａに対してλ／２を超える距離である所定距離Ｌだけ離せばよい。
【００３９】
ＦＴＩＲによる効率的な第２の直角プリズム１内への導光を可能とするため、第１の直角プリズム２０１の反射透過面２０１ａ及び第２の直角プリズム１の入射面１ａは精度の高い研磨面とするとよい。
【００４０】
なお、ＯＶＦ状態である図１Ｂの状態では、第１の直角プリズム２０１の反射透過面２０１ａを透過する光は、撮像光学系１０１のうち物体側光学系部分のみによる不完全な結像状態にある。このため、第２の直角プリズム１の後方に配置した接眼光学系３との組み合わせにより、良好な結像状態で光学像を提示できるファインダ光学系を構成する。
【００４１】
また、撮像光学系１０１及びファインダ光学系については、例えば以下のような光学構成を採用することができる。
【００４２】
（１）撮像光学系１０１のうち、物体側光学系部分２は負の屈折力を有し、像面側光学系部分（２０６）は正の屈折力を有する。像面側光学系部分を構成する一部のレンズが光軸方向に移動することで変倍を行うレトロフォーカスタイプのズーム光学系とする。
【００４３】
（２）像面側光学系部分を構成する他の一部のレンズであって、上記変倍レンズよりも（像面側）撮像素子側に配置されたレンズが光軸方向に移動することでフォーカスを行うリアフォーカスタイプとする。
【００４４】
（３）接眼光学系３は、正の屈折力を有し、撮像光学系１０１の物体側光学系部分２の負の屈折力との組み合わせによって、逆ガリレオタイプのファインダ光学系を構成する。
【００４５】
次に、駆動機構１０の例について説明する。
【００４６】
駆動機構１０は、第２の直角プリズム１を、図１Ａ中に矢印４で示した方向に付勢するバネ等の付勢部材と、該付勢部材の付勢力に抗して第２の直角プリズム１を図１Ｂの位置から図１Ａの位置に戻すアクチュエータとを含む。アクチュエータによる第２の直角プリズム１の図１Ａの位置での保持を解除することで、第２の直角プリズム１は上記付勢部材の付勢力によって図１Ｂの位置に移動する。
【００４７】
このとき、第２の直角プリズム１の入射面１ａを、第１の直角プリズム２０１の反射透過面２０１ａに密着させると、該反射透過面２０１ａを透過した光が入射面１ａにて表面反射することなく第２の直角プリズム１内に入射するため、好ましい。
【００４８】
ただし、入射面１ａを反射透過面２０１ａに密着させることにより、入射面１ａと反射透過面２０１ａとが互いに吸着状態となり、駆動機構１０による第２の直角プリズム１の図１Ｂの位置へのスムーズな駆動を妨げる可能性がある。これを防止するために、入射面１ａと反射透過面２０１ａとの間に可撓性を有する部材（弾性部材）を介在させて、該部材を変形させながら入射面１ａを反射透過面２０１ａに近接させるようにしてもよい。また、入射面１ａと反射透過面２０１ａのうち少なくとも一方に枠形状の薄膜を形成し、入射面１ａと反射透過面２０１ａとが密着しないようにしてもよい。
【００４９】
駆動機構１０は、第２の直角プリズム１の第１及び第２の位置間での必要駆動量（移動量）としてμｍ以下のオーダーのきわめて小さな駆動量を実現できればよい。また、付勢力によって第２の直角プリズム１を単純に第１の直角プリズム２０１の方向に押し付けて第２の位置に移動させたり、アクチュエータで元の位置（第１の位置）に戻したりするだけの動きをすればよい。このため、複雑で大きな駆動量を得るための機構は必要がなく、しかも駆動量に関して高い精度は不要である。
【００５０】
次に、上記撮像装置のシステム制御部１１４の動作を、図３に示すフローチャートを用いて説明する。この動作は、システム制御部１１４内の不図示のＲＯＭに記憶されたコンピュータプログラムに従って実行される。
【００５１】
まず、ステップＳ３０１では、システム制御部１１４は、不図示の操作部に含まれるメインスイッチ（電源スイッチ）の状態を検出する。メインスイッチがオン状態であればステップＳ３０２へ進み、オフ状態であればステップＳ３０１での検出を繰り返す。
【００５２】
ステップＳ３０２では、システム制御部１１４は、記録回路１１１を通じて記録媒体１１０の残容量を調べ、残容量が、操作部を通じた画質設定等により定まる画像データサイズよりも多ければステップＳ３０４ａへ進み、そうでなければステップＳ３０３へ進む。
【００５３】
ステップＳ３０３では、システム制御部１１４は、記録媒体１１０の残容量が不充分であることを警告してステップＳ３０１に戻る。警告は、ディスプレイ１１２にメッセージを表示したり、不図示の音声出力部から音声を出力したりすることで行う。
【００５４】
ステップＳ３０４ａでは、システム制御部１１４は、操作部にて使用者により選択されたファインダモードが、ＥＶＦモードかＯＶＦモードかを判別する。ＥＶＦモードであればステップＳ３０４ｂに進み、ＯＶＦモードであればステップＳ３０４ｃに進む。
【００５５】
ステップＳ３０４ｂでは、システム制御部１１４は、第２の直角プリズム１を駆動機構１０を介して図１Ａに示す第１の位置にセットし、ＥＶＦによる画像表示を開始する。システム制御部１１４は、撮像素子１０３を用いて順次生成された画像（フレーム画像）を画像メモリ１０９へ一旦保存し、該画像メモリ１０９から順次読み出した画像を表示回路１１３を通じてディスプレイ１１２に表示する。これにより、ＥＶＦ用動画像が表示される。そして、ステップＳ３０５に進む。
【００５６】
また、ステップＳ３０４ｃでは、システム制御部１１４は、第２の直角プリズム１を駆動機構１０を介して図１Ｂに示す第２の位置にセットし、ＯＶＦによる光学像の観察を可能とする。そして、ステップＳ３０６にジャンプする。
【００５７】
次に、ステップＳ３０５において、システム制御部１１４は、ディスプレイ１１２に表示されたＥＶＦ用動画像に重ね合わせて複数の所定焦点検出領域を表示する。
【００５８】
ステップＳ３０６では、システム制御部１１４は、操作部に設けられたレリーズスイッチの状態を調べ、該レリーズスイッチが半押し状態であればステップＳ３０８へ進み、そうでなければステップＳ３０７へ進む。ステップＳ３０７では、システム制御部１１４は、メインスイッチの状態を調べ、オン状態であればステップＳ３０５へ戻り、そうでなければステップＳ３０１へ戻る。
【００５９】
ステップＳ３０６でのレリーズスイッチの半押し操作によって、システム制御部１１４は、ステップＳ３０８において、Ａ／Ｄ変換器１０５の出力から被写体輝度を検出（測光）し、該測光結果に基づく自動露出制御動作（ＡＥ）を行う。
【００６０】
さらに、システム制御部１１４は、ステップＳ３１０において、複数の焦点検出領域のうちシステム制御部１１４により自動的に又は使用者によって操作部を通じて選択された焦点検出領域での自動合焦動作（ＡＦ）を行う。このＡＦは、Ａ／Ｄ変換器１０５の出力から画像のコントラスト状態を示すＡＦ評価値信号を生成し、該ＡＦ評価値が最大となる位置を探索するようにフォーカスレンズを移動させるＴＶ−ＡＦ方式で行われる。ただし、他の方式（位相差検出方式や外部測距方式等）でＡＦを行ってもよい。なお、被写体輝度が所定値より低い場合には、不図示の補助光源を発光させてＡＦ補助光を物体に向けて照射した状態でＡＦ動作を行う。
【００６１】
そして、合焦状態が得られると、ステップＳ３１１で、システム制御部１１４は、レリーズスイッチが全押し状態であるか否かを調べる。全押し状態であればステップＳ３１２ａに進み、そうでなければステップＳ３１６に進む。
【００６２】
ステップＳ３１２ａでは、システム制御部１１４は、現在のファインダモードがＯＶＦモードか否かを判別する。ＯＶＦモードである場合は、ステップＳ３１２ｂに進み、そうでない（ＥＶＦモードである）場合は、ステップＳ３１３に進む。
【００６３】
ステップＳ３１２ｂでは、システム制御部１１４は、駆動機構１０を介して第２の直角プリズム１を図１Ａに示す第１の位置に移動させる。これにより、物体からの光が第１の直角プリズム２０１の反射透過面２０１ａで全反射して撮像素子側に導かれ、明るい記録用画像の取得が可能となる。
【００６４】
ステップＳ３１３では、システム制御部１１４は、記録用画像の取得処理（本撮像）を開始する。
【００６５】
ステップＳ３１６では、システム制御部１１４は、レリーズスイッチが半押し状態か否かを調べる。半押し状態であればステップＳ３１１へ戻り、そうでなければステップＳ３０５へ戻る。
【００６６】
ステップＳ３１４では、システム制御部１１４は、ステップＳ３０２と同様に、記録媒体１１０の残容量を調べ、次の本撮像によって取得される記録用画像の記録に必要な残容量があればステップＳ３１５へ進む。また、残容量が不充分である場合には、ステップＳ３０３へ進み、上述した警告を行う。
【００６７】
ステップＳ３１５では、システム制御部１１４は、レリーズスイッチが全押し状態であるか否かを調べる。全押し状態でなければステップＳ３１６へ進む。全押し状態であればステップＳ３１３に進み、次の本撮像を行う。
【００６８】
なお、上記実施例では、記録用画像として静止画像を取得するデジタルスチルカメラについて説明したが、本発明の他の実施例としては、記録用画像として動画像を取得するビデオカメラが含まれる。
【００６９】
また、上記実施例では、第１及び第２の光学部材として直角プリズムを用いる場合について説明したが、各光学部材の形状はこれに限定されず、他の形状を有していてもよい。
【図面の簡単な説明】
【００７０】
【図１Ａ】本発明の実施例である撮像装置において、第２の直角プリズムが第１の位置にある状態での撮像光学系の構成を示す断面図。
【図１Ｂ】実施例の撮像装置において、第２の直角プリズムが第２の位置にある状態での撮像光学系の構成を示す断面図。
【図２】実施例の撮像装置の構成を示すブロック図。
【図３】実施例の撮像装置の動作を示すフローチャート。
【図４】全反射減衰によるエバネッセント波が滲み出す距離を示す図。
【図５】従来の撮像装置における撮像光学系の構成を示す断面図。
【符号の説明】
【００７１】
１  第２の直角プリズム
２  物体側光学系部分
３  接眼光学系
１０１  撮像光学系
１０３  撮像素子
２０６  像面側光学系部分
【図１Ａ】
0004931235.tif 000003
【図１Ｂ】
0004931235.tif 000004
【図２】
0004931235.tif 000005
【図３】
0004931235.tif 000006
【図４】
0004931235.tif 000007
【図５】
0004931235.tif 000008